(57)【要約】【課題】本考案は、咽頭部の患部に対して鼻腔を経由して薬液を塗布できる薬液塗布具であって、薬液の補充に塗布具を抜き差しする必要がなく、また、簡単な手許操作で薬液を患部に広範囲に塗布できる咽頭部薬液塗布具を提供する。【解決手段】  咽頭部に薬液を塗布する器具において、中空綿棒の先端部に綿を巻き付けた薬液塗布部と、該中空綿棒の後端部に連結した薬液注入具を備え、かつ、前記薬液塗布部が、前記中空綿棒の軸線に対し１５〜４５度の角度を以って折り曲げ、かつ、先端が該軸線から１５±５ｍｍの垂直距離だけ離れていることを特徴とする。【選択図】図１
0003177928.tif 000002
【実用新案登録請求の範囲】
【請求項１】
咽頭部に薬液を塗布する器具において、中空綿棒の先端部に綿を巻き付けた薬液塗布部と、該中空綿棒の後端部に連結した薬液注入具を備えたことを特徴とする咽頭部薬液塗布具。
【請求項２】
前記薬液塗布部が、前記中空綿棒の軸線に対し１５〜４５度の角度を以って折り曲げ、かつ、先端が該軸線から１５±５ｍｍの垂直距離だけ離れていることを特徴とする請求項１に記載の咽頭部薬液塗布具。
【請求項３】
前記薬液注入具が、ピストン式の薬液注入具であることを特徴とする請求項１又は２に記載の咽頭部薬液塗布具。
【請求項４】
前記中空綿棒の中空軸が、プラスチック製又は金属製であることを特徴とする請求項１又は２又は３に記載の咽頭部薬液塗布具。
【考案の詳細な説明】
【技術分野】
【０００１】
本考案は、咽頭部、特に咽頭扁桃等の患部に対して患者に苦痛を与えずに好適に薬液を塗布できる咽頭部薬液塗布具に関するものである。
【背景技術】
【０００２】
のどは咽頭（上咽頭、中咽頭、下咽頭）と喉頭からなっていて、鼻（鼻腔）と口（口腔）からの合流点であると同時に、食道・胃と気管・肺への分岐点である。とくに、上咽頭は鼻の突き当たり、すなわち左右の鼻腔が後方で一つの空洞になった部分である。上咽頭は単なる空気の通り道でなく、免疫機能として咽頭扁桃（アデノイド）や耳管扁桃などのリンパ組織があり、空気中の病原微生物から全身を守っている（図２参照）。このように、上咽頭は、常に病原微生物に曝されているために、感染を生じやすく、発熱の原因ともなる患部になる。
【０００３】
前述の患部に対する治療法として、従来、綿棒に薬液を浸して口腔または鼻腔から患部に届かせて塗布することが行われているが、それぞれ一長一短があり、鼻腔からの塗布の場合は、口腔からの場合と異なり咽頭反射を惹起せず、患者が処置を楽に受けられる反面、綿棒が細く、形状が直であるため、十分な薬液量を塗布できず、また塗布できる範囲も限局的なものであった。この際、鼻腔に綿棒を何回も抜き差しするのは患者にとっても苦痛であるから、それを避けるための方策の一つとして、薬液を予め含浸させた綿棒があるが、多くの薬液を塗布具と共に容器内に収容すると、塗布具の薬液を吸収し保持し得る量が十分でないと、容器内で薬液が余剰となり、綿棒を摘み上げた際に薬液が滴り落ちたり、薬液により綿棒の軸が汚れてしまったりする不具合があった。これを解消した綿棒が先行技術として開示されている（文献1）。
【先行技術文献】
【特許文献】
【０００４】
【特許文献１】特開２０１１−１５６０２４号公報（〔請求項１〜３〕、〔０００７、００２８〕、〔図１、４〕）。
【考案の概要】
【考案が解決しようとする課題】
【０００５】
前記先行技術は、厚さ方向にのみ圧縮成型したセルローススポンジからなる薬液塗布部を形成し、この薬液塗布部に樹脂製の軸部を固着させた薬液塗布具であって、該薬液塗布部の薬液抱液量・放液量を高め、必要最低限の薬液を薬液塗布部に含浸させるようにして、患部に薬液を塗布することができるとし、しかも薬液が滴り落ちることがないとしている。また、薬液塗布部は、圧縮前の厚みに比し、１／４〜１／１０の厚みになるように圧縮成型したセルローススポンジが用いられており、形状もできるだけ少ない量の薬液を効率良く広範囲に塗布できるように扁平な板状体が良いとしている。しかし、咽頭部の患部に薬液を塗布する塗布具としては、鼻腔を経由しなければならないが、先行技術の薬液塗布具は塗布部の形状が扁平な板状体であるから、鼻腔を経由する治療具として適切でない問題があった。
【０００６】
そこで、上記の問題を解決するために、咽頭部、特に咽頭扁桃の患部に対して鼻腔を経由して、患者に苦痛を与えずに好適に薬液を塗布できる薬液塗布具であって、薬液の補充に塗布具を抜き差しする必要がなく、また、簡単な手許操作で薬液を患部に広範囲に塗布できる咽頭部薬液塗布具を提供するものである。
【課題を解決するための手段】
【０００７】
本考案の請求項１に係る咽頭部薬液塗布具は、咽頭部に薬液を塗布する器具において、中空綿棒の先端部に綿を巻き付けた薬液塗布部と、該中空綿棒の後端部に連結した薬液注入具を備えたことを特徴とする。また、請求項２に係る咽頭部薬液塗布具は、請求項１において、前記薬液塗布部が、前記中空綿棒の軸線に対し１５〜４５度の角度を以って折り曲げ、かつ、先端が該軸線から１５±５ｍｍの垂直距離だけ離れていることを特徴とする。また、請求項３に係る咽頭部薬液塗布具は、請求項１又は２において、前記薬液注入具が、ピストン式の薬液注入具であることを特徴とする。
【０００８】
これらの構成により、咽頭扁桃等の患部の治療に際し、患者の鼻腔を経由して中空綿棒を差し入れて綿棒の薬液を患部に塗布するのに、中空綿棒の中空軸に接続し、患者外にある薬液注入器から必要かつ十分な薬液を中空軸を経て薬液塗布部の綿に供給できる。また、中空綿棒先端の薬液塗布部を中空軸の軸線に対し１５〜４５度の範囲で折り曲げ、かつ、先端が該軸線から１５±５ｍｍの垂直距離だけ離れているので、中空軸を回転させれば、薬液塗布部に円運動が加わるので、任意の部位に薬液を塗布できると共に、薬液を塗布する面積を広範囲に広げることが可能となる。例えば、本考案の中空綿棒を軸を中心として回転させれば、薬液塗布部は男性も女性も咽頭扁桃全体を塗布することが可能となる。すなわち、本考案は曲がっている塗布面で二次元的に塗布できるのに対し、従来の直棒の綿棒は先端部の点でしか塗布できなかった。これは従来の綿棒に比べて、患部への薬液塗布が患者の鼻腔内で中空軸を上下左右に動かす範囲を小さくして済むから、患者に対して治療による苦痛や不快感を与えることがない。また、薬液注入器は、薬液を中空綿棒の薬液塗布部の綿部に供給するだけで、少量（約０．２ｍｌ）程度であるから、小型のピストン式薬液注射器を使用できるので、治療の際の操作は簡単で、容易である。
【０００９】
本考案の咽頭部薬液塗布具を用いて患者の咽頭扁桃等の患部の治療は、通常、患者の鼻孔の対側、場合によって同側から内視鏡を挿入して患部を視認し、もう一つの鼻孔から感覚の鈍い鼻腔の底を通して咽頭部薬液塗布具の中空綿棒を挿入して、前述したような薬液の塗布を患部に対して行い治療する。
【００１０】
また、請求項４に係る咽頭部薬液塗布具は、請求項１又は２又は３において、前記中空綿棒の中空軸が、プラスチック製又は金属製であることを特徴とする。
本考案の中空綿棒の中空軸は、通常ディスポーザル式であれば、合成樹脂製であるが、金属製の中空軸を使用することも可能である。
【考案の効果】
【００１１】
本考案に係る請求項１から４に記載の咽頭部薬液塗布具によれば、咽頭部、特に咽頭扁桃等の患部に対して鼻腔に挿入して、患者に苦痛を与えずに好適に薬液を塗布できる。すなわち、薬液の補充に塗布具を抜き差しする必要がなく連続的に補給可能であり、また、簡単な手許操作で薬液を患部に広範囲に、かつ、正確に塗布できる。また、鼻内視鏡の患部の視認作業も加わって、薬液を正確に患部に塗布できるので、無駄がなく薬液の使用量を抑えると共に、患部以外の正常な箇所に薬液が付着したり、綿棒に液垂れして患者に不愉快な治療を施すことがない。また、本考案の咽頭部薬液塗布具は、簡易な構造であるから製造し易く安価に供給できる。また、使用に際しても、衛生的で、簡便に適用できる。
【図面の簡単な説明】
【００１２】
【図１】図１は、本考案を実施するための形態に係る咽頭部薬液塗布具の（ａ）全体外形図、（ｂ）Ａ部拡大図、（ｃ）Ｂ部拡大図である。
【図２】図２は、本考案を実施するための形態に係る咽頭部薬液塗布具を適用する人の「のど」の模式的断面図である。
【図３】図３は、本考案を実施するための形態に係る咽頭部薬液塗布具による咽頭患部を治療する状態を示す模式的断面図である。
【図４】図４は、本考案を実施するための形態に係る咽頭部薬液塗布具による患者への治療状況を示す模式的である。
【考案を実施するための形態】
【００１３】
本考案に係る咽頭部薬液塗布具を実施するための形態について図１、図２、図３、図４を用いて説明する。図１は、本考案を実施するための形態に係る咽頭部薬液塗布具１の（ａ）全体外形図、（ｂ）Ａ部拡大図、（ｃ）Ｂ部拡大図である。図２は、本考案を実施するための形態に係る咽頭部薬液塗布具１を適用する人の「のど」５の模式的断面図である。図３は、本考案を実施するための形態に係る咽頭部薬液塗布具１による咽頭患部を治療する状態を示す模式的断面図である。図４は、本考案を実施するための形態に係る咽頭部薬液塗布具１による患者６への治療状況を示す模式的である。
【００１４】
図１を用いて、咽頭部薬液塗布具１を説明する。本考案に係る咽頭部薬液塗布具１は、中空綿棒２と薬液注入器３とジョイント４とからなる。中空綿棒２は、通常合成樹脂製の中空軸２−２とその一端を脱脂綿を中空軸２−２に巻き付けた薬液塗布部２−１とからなる。中空軸２−２は、外径約１ｍｍで、内部に薬液が通る管路を形成し、長さが水平長で約１２５ｍｍで、薬液塗布部２−１は、長さ約２０ｍｍで、中空軸２−２の軸線に対し３０°の角度αでもって折れ曲がり、かつ、薬液塗布部２−１の先端が中空軸２−２の軸線から１５ｍｍの垂直距離βだけ離れている。また、薬液注入器３は、長さ約８０ｍｍ、シリンダ径約９ｍｍの通常合成樹脂製で、薬液注射器と同じ構造をしており、長さ約５０ｍｍのシリンダ部３−１とピストン棒３−２とからなり、注入量は最大１ｍｌ位である。また、中空綿棒２と薬液注入器３との連結には、連結し易いように軟質で、かつ、連結状態が確認しやすい透明な合成樹脂製のジョイント４（長さ約２４ｍｍ）が用いられる。前述したように、咽頭部薬液塗布具１は、既存の器材である中空綿棒２と薬液注入器３を用いて、曲げ加工や連結などの若干の加工を加えて組み立てることにより、衛生的に、かつ、経済的に製作することができる。なお、本考案の中空綿棒２の中空軸２−２は、通常ディスポーザル式であれば、合成樹脂製であるが、金属製の中空軸２−２を使用することも可能である。
【００１５】
本考案の咽頭部薬液塗布具１の作用を説明すると、薬液注入器３のシリンダ部３−１とピストン棒３−２との空間には、薬液（図示しない）を吸引・保持しており、該薬液はピストン棒３−２を押し込むことによりジョイント４を経由して中空綿棒２の中空軸２−２を通って、薬液塗布部２−１を構成する綿部に供給され、綿部を薬液で湿潤させる。よって、患者の患部に対して中空綿棒２の薬液塗布部２−１を回す動作を加えて、上下左右には大きく動かすことなく接触・塗布することができ、薬液を確実に、患者に不快感や苦痛を与えずに塗布することが可能となる。
【００１６】
本考案の咽頭部薬液塗布具１を用いた患者６への治療を、図２、図３、図４を用いて説明する。図２に「のど」の模式的断面図を示しているが、後鼻腔５−２にある咽頭扁桃５−３や咽頭天蓋５−４等は、鼻腔５−１を経由して呼吸する吸気中のウイルス等の細菌に感染して炎症を起こすことがある。この場合の炎症の治療の一つに、鼻腔５−１を経由して綿棒２を使って薬液を炎症した患部（例えば咽頭扁桃５−３）に塗布する際に、本考案の咽喉部薬液塗布具１によれば、薬液塗布部２−１の綿部には、常に薬液注入器３から薬液が補充できる状態にあり、薬液を切らすことなく患部に塗布できる。だから従来の綿棒のように薬液の補充のために、綿棒を鼻腔５−１から抜き差しする必要がないから、本考案の咽喉部薬液塗布具１を用いると患者に対して苦痛や不快感を与えることがない。
【００１７】
また、本考案の咽喉部薬液塗布具１によれば、薬液塗布部２−１が中空軸２−２に対して３０°折れ曲がり、かつ、薬液塗布部２−１の先端が中空軸２−２の軸線から１５ｍｍの垂直距離βだけ離れているので、中空軸２−２を軸中心に回す運動を加えることにより広範囲の患部に薬液が塗布できる。例えば、本考案の中空綿棒２を中空軸２−２を中心として回転させれば、薬液塗布部２−１は男性も女性も咽頭扁桃５−３全体を塗布することが可能となる。場合によれば、薬液塗布部２−１の先端部のみならず、中空軸２−２に巻き付けた綿部全体面で塗布を行うことが可能であり、従来の綿棒に比し上下左右に動かす程度が少なくてすみ、患者に対して苦痛や不快感を与えることがなく、十分に治療することが可能となる。この治療状況は、図３の（ａ）、（ｂ）、（ｃ）の中空綿棒の薬液塗布部２−１の動きがその状況を示している。また、この際、患者に対する治療は、図４に示すように、患者６の鼻孔６−１の片側から鼻腔５−１の感覚の鈍い底を通して後鼻腔５−２へ本考案の咽頭部薬液塗布具１を挿入し、もう一方の鼻孔（対側の鼻腔が狭い場合は同側）６−１から内視鏡６−２を後鼻腔５−２部に挿入して、患部を視認しながら咽頭部薬液塗布具１による患部への治療を施すことができる。
【産業上の利用可能性】
【００１８】
薬液を塗布する医療分野で広く利用できる。
【符号の説明】
【００１９】
１：咽頭部薬液塗布具
２：中空綿棒        ２−１：薬液塗布部        ２−２：中空軸
３：薬液注入器      ３−１：シリンダ部        ３−２：ピストン棒        ４：ジョイント
５：のど            ５−１：鼻腔    ５−２：後鼻腔  ５−３：咽頭扁桃
５−４：咽頭天蓋    ５−５：上咽頭    ５−６：口腔    ５−７：舌
５−８軟口蓋      ５−９口蓋垂    ５−１０：中咽頭  ５−１１：気管
５−１２：食道
６：患者      ６−１：鼻孔      ６−２：内視鏡
α： 薬液塗布部の軸線と中空軸の軸線とのなす角
β：  薬液塗布部先端と中空軸の軸線との垂直距離
【図１】
0003177928.tif 000003
【図２】
0003177928.tif 000004
【図３】
0003177928.tif 000005
【図４】
0003177928.tif 000006